(57)【要約】【課題】撮像装置の供給可能電力と、レンズ装置およびアクセサリのそれぞれの消費電力とを適切に設定することが可能なレンズ装置を提供する。【解決手段】アクセサリ（２００）を介して撮像装置（３００）に装着可能なレンズ装置（１００）であって、アクセサリで使用可能な電力を示す第１電力情報を取得する取得手段（１２１）と、第１電力情報に基づいて、レンズ装置で使用可能な電力を示す第２電力情報を決定する決定手段（１２０）と、第２電力情報、または、第１電力情報および第２電力情報に応じた電力情報を撮像装置に送信する送信手段（１１８）とを有する。【選択図】図１
2020187242.tif 000002
【特許請求の範囲】
【請求項１】
アクセサリを介して撮像装置に装着可能なレンズ装置であって、
前記アクセサリで使用可能な電力を示す第１電力情報を取得する取得手段と、
前記第１電力情報に基づいて、前記レンズ装置で使用可能な電力を示す第２電力情報を決定する決定手段と、
前記第２電力情報、または、前記第１電力情報および前記第２電力情報に応じた電力情報を前記撮像装置に送信する送信手段と、を有することを特徴とするレンズ装置。
【請求項２】
前記取得手段は、前記撮像装置から前記アクセサリの識別情報を取得し、該識別情報に基づいて前記第１電力情報を取得することを特徴とする請求項１に記載のレンズ装置。
【請求項３】
前記送信手段は、前記第２電力情報を前記撮像装置に送信することを特徴とする請求項２に記載のレンズ装置。
【請求項４】
前記取得手段は、前記アクセサリから通信を介して前記第１電力情報を取得することを特徴とする請求項１に記載のレンズ装置。
【請求項５】
前記送信手段は、前記第１電力情報および前記第２電力情報に応じた電力情報を前記撮像装置に送信することを特徴とする請求項４に記載のレンズ装置。
【請求項６】
前記第２電力情報は前記レンズ装置に設定可能な複数の電力情報のうちの１つであり、
前記第１電力情報および前記第２電力情報に応じた電力情報は、前記複数の電力情報のうち、前記第１電力情報が示す電力と前記第２電力情報が示す電力との和より大きく且つ前記第１電力情報が示す電力と前記第２電力情報が示す電力との和に最も近い電力を示す電力情報であることを特徴とする請求項５に記載のレンズ装置。
【請求項７】
前記決定手段は、該撮像装置が現在供給可能な電力を示す第３電力情報を前記撮像装置から取得し、前記第１電力情報と前記第３電力情報とに基づいて、前記第２電力情報を決定することを特徴とする請求項１乃至６のいずれか一項に記載のレンズ装置。
【請求項８】
前記決定手段は、前記第１電力情報が示す電力と前記第２電力情報が示す電力との和が前記第３電力情報が示す電力以下になるように、前記第２電力情報を決定することを特徴とする請求項７に記載のレンズ装置。
【請求項９】
前記送信手段は、前記第１電力情報が示す電力と前記第２電力情報が示す電力との和が前記第３電力情報が示す電力を超える場合、前記アクセサリの機能制限を指示する信号を前記撮像装置に送信することを特徴とする請求項７または８に記載のレンズ装置。
【請求項１０】
前記信号を前記撮像装置に送信した場合に、機能制限についてユーザに通知する通知手段を有することを特徴とする請求項９に記載のレンズ装置。
【請求項１１】
アクセサリを介してレンズ装置が装着可能な撮像装置であって、
前記アクセサリで使用可能な電力を示す第１電力情報を取得する取得手段と、
前記第１電力情報に基づいて、前記レンズ装置で使用可能な電力を示す第２電力情報を決定する決定手段と、
前記第２電力情報を前記レンズ装置に送信する送信手段と、を有することを特徴とする撮像装置。
【請求項１２】
前記決定手段は、前記第１電力情報と前記撮像装置が現在供給可能な電力を示す第３電力情報とに基づいて、前記第２電力情報を決定することを特徴とする請求項１１に記載の撮像装置。
【請求項１３】
前記決定手段は、前記第１電力情報が示す電力と前記第２電力情報が示す電力との和が前記第３電力情報が示す電力以下になるように、前記第２電力情報を決定することを特徴とする請求項１２に記載の撮像装置。
【請求項１４】
前記第１電力情報が示す電力と前記第２電力情報が示す電力との和が前記第３電力情報が示す電力を超える場合、前記アクセサリの機能を制限する制限手段を更に有することを特徴とする請求項１２または１３に記載の撮像装置。
【請求項１５】
前記取得手段は、前記撮像装置から前記アクセサリの個体情報を取得し、該個体情報に基づいて前記第１電力情報を取得し、
前記送信手段は、前記第１電力情報を前記アクセサリに送信することを特徴とする請求項１１乃至１４のいずれか一項に記載の撮像装置。
【請求項１６】
撮像装置とレンズ装置との間に装着可能なアクセサリであって、
前記アクセサリで使用可能な電力を示す電力情報を前記撮像装置または前記レンズ装置に送信する通信手段を有することを特徴とするアクセサリ。
【請求項１７】
前記アクセサリは、前記撮像装置の供給可能電力と前記レンズ装置の電力との差分電力の範囲内の電力モードで動作することを特徴とする請求項１６に記載のアクセサリ。
【請求項１８】
前記アクセサリは、複数の電力モードを設定可能であり、
前記通信手段は、前記撮像装置または前記レンズ装置から前記アクセサリの電力モードを受信し、
前記アクセサリは、前記複数の電力モードの中から、前記通信手段により受信した前記アクセサリの前記電力モードを選択することを特徴とする請求項１６または１７に記載のアクセサリ。
【請求項１９】
アクセサリを介して撮像装置に装着可能なレンズ装置の制御方法であって、
前記アクセサリで使用可能な電力を示す第１電力情報を取得するステップと、
前記第１電力情報に基づいて、前記レンズ装置で使用可能な電力を示す第２電力情報を決定するステップと、
前記第２電力情報、または、前記第１電力情報および前記第２電力情報に応じた電力情報を前記撮像装置に送信するステップと、を有することを特徴とするレンズ装置の制御方法。
【請求項２０】
アクセサリを介してレンズ装置が装着可能な撮像装置の制御方法であって、
前記アクセサリで使用可能な電力を示す第１電力情報を取得するステップと、
前記第１電力情報に基づいて、前記レンズ装置で使用可能な電力を示す第２電力情報を決定するステップと、
前記第２電力情報を前記レンズ装置に送信するステップと、を有することを特徴とする撮像装置の制御方法。
【請求項２１】
請求項１９に記載のレンズ装置の制御方法をコンピュータに実行させることを特徴とするプログラム。
【請求項２２】
請求項２０に記載の撮像装置の制御方法をコンピュータに実行させることを特徴とするプログラム。
【発明の詳細な説明】
【技術分野】
【０００１】
本発明は、アクセサリを介して撮像装置に着脱可能なレンズ装置に関する。
【背景技術】
【０００２】
一般的に、デジタル一眼カメラやカムコーダなどの撮像装置に着脱可能なレンズ装置（交換レンズ）は、撮像装置の電源（バッテリ）から電力供給を受けて動作する。また、撮影機能を拡充するため、焦点距離の倍率を変更可能なエクステンダ、または、ＩＳＯ感度や絞り値の可変機能を有するアダプタなどのアクセサリが撮像装置に装着可能である場合、撮像装置はこのようなアクセサリにも電源を供給する。
【０００３】
一方、このようなバッテリを備えた撮像装置において、交換レンズやアクセサリに供給可能な電力には限度がある。このため、交換レンズやアクセサリは、撮像装置から供給される限られた電力の範囲内で動作する必要がある。例えばバッテリの電力残量が少ない状態で過度な電流を交換レンズが消費した場合、急激な電圧降下が発生し、適切な撮影動作を行うことができない可能性がある。
【０００４】
特許文献１には、撮像装置に装着可能なアクセサリの使用可能電力に応じた値を指示する命令を撮像装置からアクセサリに送信し、アクセサリの電力および電圧を決定する方法が開示されている。特許文献２には、レンズ制御情報に応じて交換レンズへの供給電力を出力する電力供給手段を用いて、電流制限を行う方法が開示されている。
【先行技術文献】
【特許文献】
【０００５】
【特許文献１】特開平１１−６４９５７号公報
【特許文献２】特開２００５−１０７０３号公報
【発明の概要】
【発明が解決しようとする課題】
【０００６】
ところで、アクセサリを介して交換レンズを撮像装置に装着して構成されるカメラシステムを適切に動作させるには、撮像装置の供給可能電力と、交換レンズおよびアクセサリのそれぞれの消費電力とを適切に設定する必要がある。しかしながら、特許文献１や特許文献２には、撮像装置の供給可能電力と、交換レンズおよびアクセサリのそれぞれの消費電力とを適切に設定する方法が開示されていない。
【０００７】
そこで本発明は、撮像装置の供給可能電力と、レンズ装置およびアクセサリのそれぞれの消費電力とを適切に設定することが可能なレンズ装置、撮像装置、アクセサリ、レンズ装置の制御方法、撮像装置の制御方法、および、プログラムを提供することを目的とする。
【課題を解決するための手段】
【０００８】
本発明の一側面としてのレンズ装置は、アクセサリを介して撮像装置に装着可能なレンズ装置であって、前記アクセサリで使用可能な電力を示す第１電力情報を取得する取得手段と、前記第１電力情報に基づいて、前記レンズ装置で使用可能な電力を示す第２電力情報を決定する決定手段と、前記第２電力情報、または、前記第１電力情報および前記第２電力情報に応じた電力情報を前記撮像装置に送信する送信手段とを有する。
【０００９】
本発明の他の側面としての撮像装置は、アクセサリを介してレンズ装置が装着可能な撮像装置であって、前記アクセサリで使用可能な電力を示す第１電力情報を取得する取得手段と、前記第１電力情報に基づいて、前記レンズ装置で使用可能な電力を示す第２電力情報を決定する決定手段と、前記第２電力情報を前記レンズ装置に送信する送信手段と、を有する。
【００１０】
本発明の他の側面としてのアクセサリは、撮像装置とレンズ装置との間に装着可能なアクセサリであって、前記アクセサリで使用可能な電力を示す電力情報を前記撮像装置または前記レンズ装置に送信する通信手段を有する。
【００１１】
本発明の他の側面としてのレンズ装置の制御方法は、アクセサリを介して撮像装置に装着可能なレンズ装置の制御方法であって、前記アクセサリで使用可能な電力を示す第１電力情報を取得するステップと、前記第１電力情報に基づいて、前記レンズ装置で使用可能な電力を示す第２電力情報を決定するステップと、前記第２電力情報、または、前記第１電力情報および前記第２電力情報に応じた電力情報を前記撮像装置に送信するステップとを有する。
【００１２】
本発明の他の側面としての撮像装置の制御方法は、アクセサリを介してレンズ装置が装着可能な撮像装置の制御方法であって、前記アクセサリで使用可能な電力を示す第１電力情報を取得するステップと、前記第１電力情報に基づいて、前記レンズ装置で使用可能な電力を示す第２電力情報を決定するステップと、前記第２電力情報を前記レンズ装置に送信するステップと、を有する。
【００１３】
本発明の他の側面としてのプログラムは、前記レンズ装置の制御方法をコンピュータに実行させる。
【００１４】
本発明の他の側面としてのプログラムは、前記撮像装置の制御方法をコンピュータに実行させる。
【００１５】
本発明の他の目的及び特徴は、以下の実施例において説明される。
【発明の効果】
【００１６】
本発明によれば、撮像装置の供給可能電力と、レンズ装置およびアクセサリのそれぞれの消費電力とを適切に設定することが可能なレンズ装置、撮像装置、アクセサリ、レンズ装置の制御方法、撮像装置の制御方法、および、プログラムを提供することができる。
【図面の簡単な説明】
【００１７】
【図１】各実施例における撮像システムのブロック図である。
【図２】各実施例における撮像システムの電力モードの一例である。
【図３】実施例１における撮像システムの動作を示すフローチャートである。
【図４】実施例２における撮像システムの動作を示すフローチャートである。
【図５】実施例３における撮像システムの動作を示すフローチャートである。
【発明を実施するための形態】
【００１８】
以下、本発明の実施例について、図面を参照しながら詳細に説明する。
【実施例１】
【００１９】
まず、図１を参照して、本発明の実施例１における撮像システム（カメラシステム）の構成について説明する。図１は、撮像システム１０のブロック図である。撮像システム１０は、交換レンズ（レンズ装置）１００と、交換レンズ１００が取り外し可能に装着される撮像装置（カメラ本体）３００と、交換レンズ１００と撮像装置３００との間に接続可能なアクセサリ２００とを備えて構成される。なお本実施例において、アクセサリ２００は、交換レンズ１００と撮像装置３００との間に接続される中間アクセサリであるが、これに限定されるものではない。本実施例は、撮像装置３００から電力供給を受けて動作するアクセサリであれば、例えば交換レンズ１００に接続される液晶表示機能を備えたアクセサリなどの他のアクセサリにも適用可能である。
【００２０】
交換レンズ１００は、撮像光学系として、被写体側から撮像装置３００へ向かう方向に順に、固定フロントレンズ１０１、変倍レンズ１０２、絞り１０３、手振れ補正レンズ１０４、および、フォーカスレンズ１０５を含む。なお図１では、固定フロントレンズ１０１、変倍レンズ１０２、手振れ補正レンズ１０４、および、フォーカスレンズ１０５がそれぞれ１つのレンズ素子により構成されているように記載されているが、実際には１つ又は複数のレンズ素子を含む。
【００２１】
変倍レンズ１０２は、ステッピングモータやＤＣモータ等により構成されるズームアクチュエータ１０６によって光軸ＯＡに沿った方向（光軸方向）に移動し、変倍（ズーミング）を行う。ズーム駆動回路１０７は、ズームアクチュエータ１０６に駆動電圧と電流を供給する。絞り１０３は、ステッピングモータやＤＣモータ等により構成される絞りアクチュエータ１０８によって開口径を変化させる。絞り駆動回路１０９は、絞りアクチュエータ１０８に駆動電圧と電流を供給する。手振れ補正レンズ１０４は、ステッピングモータやボイスコイルモータ等により構成される手振れ補正アクチュエータ１１０によってシフト方向に移動し、手振れ補正を行う。手振れ補正駆動回路１１１は、手振れ補正アクチュエータ１１０に駆動電圧と電流を供給する。フォーカスレンズ１０５は、ステッピングモータやボイスコイルモータ等により構成されるフォーカスアクチュエータ１１２によって光軸方向に移動し、焦点調節（フォーカシング）を行う。フォーカス駆動回路１１３は、フォーカスアクチュエータ１１２に駆動電圧と電流を供給する。
【００２２】
図１に示されるように、交換レンズ１００は、アクセサリ２００を介して撮像装置３００に装着される。このとき、交換レンズ１００に設けられた電気的接点１１６ａ、１１６ｂ、１１６ｃとアクセサリ２００に設けられた電気的接点２０５ａ、２０５ｂ、２０５ｃとがそれぞれ電気的に接続される。また、アクセサリ２００に設けられた電気的接点２０６ａ、２０６ｂ、２０６ｃと撮像装置３００に設けられた電気的接点３０９ａ、３０９ｂ、３０９ｃとがそれぞれ電気的に接続される。これにより、交換レンズ１００と撮像装置３００との間での各種情報の通信を行うことができる。図１では、３線式のシリアル通信を行う場合を示しているが、これに限定されるものではない。本実施例では、レンズ制御ＣＰＵ１１４とカメラ制御ＣＰＵ３０６は、カメラ制御ＣＰＵ３０６をクロックマスターとしてシリアル通信を行う。
【００２３】
また、交換レンズ１００がアクセサリ２００を介して撮像装置３００に装着されると、交換レンズ１００に設けられた電気的接点１１６ｄ、１１６ｅとアクセサリ２００に設けられた電気的接点２０５ｄ、２０５ｅとがそれぞれ電気的に接続される。また、アクセサリ２００に設けられた電気的接点２０６ｄ、２０６ｅと撮像装置３００に設けられた電気的接点３０９ｄ、３０９ｅとがそれぞれ電気的に接続される。これにより、交換レンズ１００とアクセサリ２００との間、撮像装置３００とアクセサリ２００との間、および、交換レンズ１００と撮像装置３００との間において、各種情報の通信を行うことができる。図１では、２線式のシリアル通信を行う場合を示しているが、これに限定されるものではない。本実施例では、レンズ制御ＣＰＵ１１４、アクセサリ制御ＣＰＵ２０１、および、カメラ制御ＣＰＵ３０６は、カメラ制御ＣＰＵ３０６をクロックマスターとしてシリアル通信を行う。
【００２４】
交換レンズ１００とアクセサリ２００は、その固有情報として、光学情報（焦点距離、Ｆ値（絞り値）、フォーカス敏感度、ピント補正量等）や特性情報を保持しており、これらの情報を撮像装置３００に送信することができる。交換レンズ１００にアクセサリ２００が取り付けられた状態である場合、アクセサリ２００の特性情報を撮像装置３００に送信する。なお、「光学情報」は、ズーム、フォーカス、絞り値等の状態に応じて変化する光学的な固有情報（フォーカスレンズ敏感度やピント補正量情報等）を意味する。また、「特性情報」は、基本的に上記状態によって変化しない固有情報を意味する。例えば、交換レンズやアクセサリの機種や製造番号を特定するための識別情報（レンズＩＤ、アクセサリＩＤ）、最大通信速度、開放Ｆ値、ズームレンズか否か、オートフォーカス（ＡＦ）可能か否か、像高、電力モード等である。同様に、交換レンズ１００は、撮像装置３００およびアクセサリ２００の固有情報（例えば、（アクセサリＩＤ、アクセサリ電力情報等）を受信する。
【００２５】
また、交換レンズ１００に設けられた電源接点１１７ａ、１１７ｂ、１１７ｃ、１１７ｄとアクセサリ２００に設けられた電源接点２０７ａ、２０７ｂ、２０７ｃ、２０７ｄとがそれぞれ電気的に接続される。また、アクセサリ２００に設けられた電源接点２０８ａ、２０８ｂ、２０８ｃ、２０８ｄと撮像装置３００に設けられた電源接点３１０ａ、３１０ｂ、３１０ｃ、３１０ｄとがそれぞれ電気的に接続される。これにより、交換レンズ１００やアクセサリ２００に搭載された各種センサ、レンズ制御ＣＰＵ１１４、アクセサリ制御ＣＰＵ２０１、アクセサリ操作部２０２、電力消費部２０３、および、交換レンズ１００の各種駆動回路などに電力が供給される。アクセサリ操作部２０２は、ＩＳＯ感度や絞り値の可変機能をユーザがユニークに割り当てを行うことができる操作リングの処理回路部である。電力消費部２０３は、電力消耗の比較的激しい有機ＥＬの情報表示部等を含む。
【００２６】
電源接点１１７ａ、２０７ａ、２０８ａ、３１０ａは各種センサ、レンズ制御ＣＰＵ１１４、アクセサリ制御ＣＰＵ２０１、および、アクセサリ操作部２０２用の電源端子であり、電源接点１１７ｂ、２０７ｂ、２０８ｂ、３１０ｂはこの電源のグランド端子である。電源接点１１７ｃ、２０７ｃ、２０８ｃ、３１０ｃは、各種駆動回路や電力消費部２０３用の電源端子であり、電源接点１１７ｄ、２０７ｄ、２０８ｄ、３１０ｄはこの電源のグランド端子である。これらの電源は、撮像装置３００に搭載されたリチウムイオン電池などの二次電池３０８から、ＤＣＤＣコンバータなどのカメラ電源回路３０７で所望の電圧に変換され、交換レンズ１００やアクセサリ２００に供給される。レンズ電源回路１１５は、交換レンズ１００に搭載されたＤＣＤＣコンバータなどの電力変換回路であり、各種センサや駆動回路に適した電圧への変換と電力の分配を行う。アクセサリ電源回路２０４は、レンズ電源回路１１５と同様の回路（アクセサリ用回路）である。
【００２７】
撮像装置３００には、ＣＭＯＳセンサにより構成される光電変換素子としての撮像素子３０１が設けられている。撮像素子３０１は、その撮像面において、撮像光学系により形成された光学像（被写体像）を光電変換する。光電変換によって撮像素子３０１に蓄積された電荷は、所定のタイミングで撮像信号（アナログ信号）として出力され、映像信号処理回路３０２に入力される。
【００２８】
映像信号処理回路３０２は、撮像素子３０１からのアナログ撮像信号をデジタル撮像信号に変換し、デジタル撮像信号に対して増幅やガンマ補正等の各種信号処理を施して映像信号を生成する。映像信号は、カメラ制御ＣＰＵ３０６、液晶ディスプレイパネル等により構成される表示装置３０５、および、光ディスクや半導体メモリ等により構成される記憶装置３０４に出力される。
【００２９】
映像信号処理回路３０２には、焦点情報生成部としてのＡＦ信号処理回路３０３が設けられている。ＡＦ信号処理回路３０３は、撮像素子３０１から出力された撮像信号（または撮像信号を用いて生成した映像信号）から、焦点検出領域であるＡＦエリア内の画素群により得られた高周波成分や輝度成分を抽出し、焦点情報としての焦点評価値信号を生成する。焦点評価値信号は、撮影映像のコントラスト状態（撮像コントラスト）、つまりは鮮鋭度を示し、フォーカスレンズ１０５の移動に伴って変化する。そして、焦点評価値信号の値、すなわち焦点評価値が最大（ピーク）となるフォーカス位置が、そのＡＦエリアでの合焦位置となる。
【００３０】
カメラ制御ＣＰＵ３０６は、カメラ電力モード通信手段（送信手段）３１１および許容電力決定手段３１２を含む。カメラ電力モード通信手段３１１は、電気的接点１１６ａ〜１１６ｃと電気的接点２０５ａ〜２０５ｃ、および、電気的接点２０６ａ〜２０６ｃと電気的接点３０９ａ〜３０９ｃとを介して、レンズ制御ＣＰＵ１１４と各種情報を通信する。
【００３１】
交換レンズ１００には、レンズ制御ＣＰＵ１１４が内蔵されている。レンズ制御ＣＰＵ１１４は、レンズ電力モード通信手段（送信手段）１１８、レンズ電力モード記憶手段１１９、電力モード決定手段１２０、および、取得手段１２１を含む。レンズ電力モード通信手段１１８は、電気的接点１１６ａ〜１１６ｃと電気的接点２０５ａ〜２０５ｃ、および、電気的接点２０６ａ〜２０６ｃと電気的接点３０９ａ〜３０９ｃとを介して、カメラ制御ＣＰＵ３０６と各種情報を通信する。レンズ電力モード記憶手段１１９は、交換レンズ１００が対応している電力モードを記憶している。電力モード決定手段１２０は、各種駆動回路部で消費する電力を決定する。なお、この詳細については、フローチャートを用いて後述する。
【００３２】
アクセサリ２００には、アクセサリ制御ＣＰＵ２０１が内蔵されている。アクセサリ制御ＣＰＵ２０１は、アクセサリ電力モード通信手段（送信手段および受信手段を含む通信手段）２０９およびアクセサリ電力モード記憶手段２１０を含む。アクセサリ電力モード通信手段２０９は、電気的接点１１６ｄ、１１６ｅ、２０５ｄ、２０５ｅ、２０６ｄ、２０６ｅ、３０９ｄ、３０９ｅを介して、カメラ制御ＣＰＵ３０６およびレンズ制御ＣＰＵ１１４と各種情報を通信する。アクセサリ電力モード記憶手段２１０は、アクセサリ２００が対応している電力モードを記憶している。ただし、電力モードが複数存在しない（１つの電力モードのみを有する）アクセサリの場合、アクセサリ電力モード通信手段２０９とアクセサリ電力モード記憶手段２１０は、必ずしも構成に含まれない。
【００３３】
次に、図２を参照して、本実施例における撮像システム１０（交換レンズ１００、アクセサリ２００、撮像装置３００）の電力モードについて説明する。図２は、撮像システム１０の電力モードの一例であり、「電力モードＮｏ．」、「許容消費電力例」、「レンズ機能例」、および、「アダプタ機能例」のそれぞれの関係を示している。本実施例では、消費電力が大きい交換レンズ１００の各種駆動回路と、アクセサリ２００の電力消費部２０３に供給する電力について説明する。
【００３４】
電力モード１は、交換レンズ１００とアクセサリ２００ともに機能制限電力状態である電力モードである。電力モード１では、例えば手振れ補正機能を停止し、フォーカス駆動の速度を遅くし、有機ＥＬ情報表示の輝度を落とし、消費電力を低減させるなど、各種機能に制約を持たせて電力の消費を低減する。電力モード２は、アクセサリ２００については、機能の停止や制限を設けることなく、通常の撮影動作を行うことが可能な電力モードである。交換レンズ１００は、機能の停止は行わないが、各アクチュエータの速度制限や可動範囲の制限を実施することで、消費電力を低減した電力モードである。なお、アクチュエータの消費電力の低減方法は既知の技術であるため詳細の説明は省略する。なお本実施例では、アクセサリ２００は前述の２つの電力モードを有し、電力モード３以降は、交換レンズ１００のみのモードである。ただし本発明は、これに制限されるものではない。
【００３５】
電力モード３は、交換レンズ１００の機能の停止や制限を設けることなく、通常の撮影動作を行うことが可能な電力モードである。電力モード４は、通常の撮影動作に加え、アクチュエータに供給する電力を増加（印加する電圧を高くするなど）する電力モードである。電力モード４では、手振れ補正の補正領域を拡大し、より大きな手振れを補正し、オートフォーカス時のフォーカス駆動の速度を速くし、機能向上を図る。なお、各電力モードでの交換レンズ１００とアクセサリ２００の想定動作を一例として説明したが、各電力モード内での動作はこれらに限定されるものではない。
【００３６】
レンズ電力モード記憶手段１１９には、これらの電力モードのうち、交換レンズ１００が対応している複数または１つの電力モードを記憶している。また、アクセサリ電力モード記憶手段２１０にも、これらの電力モードのうち、アクセサリ２００が対応している複数または１つの電力モードを記憶している。ただし、電力モードが複数存在しない（１つの電力モードのみを有する）アクセサリの場合、アクセサリ電力モード通信手段２０９およびアクセサリ電力モード記憶手段２１０は必ずしも構成に含まれない。記憶する情報は、電力モードと許容消費電力がそれぞれ対応付けられていればよいため、電力モードの情報のみ、または、許容消費電力の値そのものであってもよい。許容電力決定手段３１２は、これらの電力モードから交換レンズ１００およびアクセサリ２００に供給する電力状態を決定し、供給する。
【００３７】
次に、図３を参照して、本実施例における撮像システム１０を構成する交換レンズ１００、アクセサリ２００、および、撮像装置３００の動作について説明する。図３（ａ）は、交換レンズ１００の動作（レンズ処理）を示すフローチャートである。図３（ｂ）は、アクセサリ２００の動作（アクセサリ処理）を示すフローチャートである。図３（ｃ）は、撮像装置３００の動作（カメラ処理）を示すフローチャートである。図３（ａ）〜（ｃ）の各ステップは、主に、レンズ制御ＣＰＵ１１４、アクセサリ制御ＣＰＵ２０１、および、カメラ制御ＣＰＵ３０６によりそれぞれ実行される。本実施例では、アクセサリ２００に電力モードが存在しない場合（アクセサリ２００が１つの電力モードのみを有する場合）について説明する。
【００３８】
まず、図３（ａ）を参照して、レンズ制御ＣＰＵ１１４の動作（レンズ処理）について説明する。ステップＳ１０１において、レンズ制御ＣＰＵ１１４（取得手段１２１）は、カメラ制御ＣＰＵ３０６から、カメラ制御ＣＰＵ３０６がアクセサリ制御ＣＰＵ２０１から受け取ったアクセサリ固有情報を受信する。アクセサリ固有情報は、アクセサリ２００の識別情報またはアクセサリ電力情報（電力モード情報）など、アクセサリ２００の電力に関する情報を含む。
【００３９】
続いてステップＳ１０２において、レンズ制御ＣＰＵ１１４は、カメラ制御ＣＰＵ３０６との間で電力モード通信を実行する。すなわちレンズ制御ＣＰＵ１１４は、カメラ電力モード通信手段３１１を用いて、撮像装置３００から指示（許容）される電力モードを受信する。クロック同期式の通信方式の場合、全二重方式であれば交換レンズ１００と撮像装置３００のそれぞれの電力モードの通信を送受信することが可能である。
【００４０】
続いてステップＳ１０３において、レンズ制御ＣＰＵ１１４は、ステップＳ１０２で受信した撮像装置３００から指示された電力モードが、レンズ電力モード記憶手段１１９に記憶された交換レンズ１００に対応している電力モードであるか否かを判定する。撮像装置３００から指示された電力モードが交換レンズ１００に対応していない電力モード（非対応電力モード）である場合、レンズ制御ＣＰＵ１１４は、再度レンズ電力モードの通信を行うため、ステップＳ１０３を繰り返す。一方、撮像装置３００から指示された電力モードが交換レンズ１００に対応する電力モードである場合、ステップＳ１０４に進む。
【００４１】
ステップＳ１０４において、レンズ制御ＣＰＵ１１４の電力モード決定手段１２０は、交換レンズ１００で消費可能（設定可能）な電力モードとアクセサリ２００の消費電力との合計値（合算値）が、撮像装置３００の許容電力内であるか否かを判定する。この判定は、ステップＳ１０１で受信したアクセサリ２００の電力情報と、ステップＳ１０２で受信した撮像装置３００から指示（許容）される電力モードの情報に基づいて行われる。合計値が許容電力内である場合、ステップＳ１０５に進む。一方、合計値が許容電力を超えている場合、ステップＳ１０７に進む。
【００４２】
ステップＳ１０５において、電力モード決定手段（決定手段）１２０は、交換レンズ１００の電力モードを決定する。前述のように、交換レンズ１００の電力モードは、アクセサリ２００の電力に関する情報（アクセサリ２００のＩＤ情報または電力モード情報）に基づいて決定される。そしてレンズ電力モード通信手段１１８は、交換レンズ１００が対応する複数または１つの電力モードを撮像装置３００に送信する。送信する電力モードの情報は、レンズ電力モード記憶手段１１９に記憶されている。ここで送信される電力モードは、ステップＳ１０２で受信した撮像装置３００から指示された電力モード内で、アクセサリ２００の動作が可能となる、交換レンズ１００が対応する電力モードである。
【００４３】
例えば、図２において２．０Ｗを許容電力とする電力モード３が撮像装置３００から指示された場合を説明する。アクセサリ２００の消費電力が０．５Ｗ（アクセサリ固有情報から取得）で、交換レンズ１００が選択可能な電力モードが許容電力０．５Ｗ〜２．０Ｗの電力モード１〜３であるとする。撮像装置３００が許容する許容電力２．０Ｗの電力モード３で交換レンズ１００とアクセサリ２００を動作させるには、交換レンズ１００は、許容電力０．５Ｗ〜１．０Ｗの電力モード１〜２の電力内で動作する。このため、レンズ電力モード通信手段１１８で選択される電力モードは、電力モード１または電力モード２となる。このとき、交換レンズ１００の対応する電力モードが許容電力２．０Ｗの電力モード３のみである場合、アクセサリ２００を動作させると、撮像装置３００が許容する許容電力２．０Ｗを超えてしまう。このためレンズ制御ＣＰＵ１１４は、ステップＳ１０７において、アクセサリ２００の機能制限を指示する（アクセサリ２００の電力モードを変更するように撮像装置３００に通知する）信号を、カメラ制御ＣＰＵ３０６に送信する。好ましくは、機能制限を指示する信号を撮像装置３００に送信した場合、機能制限についてユーザに通知する通知手段（カメラ制御ＣＰＵ３０６、表示装置３０５など）を撮像装置３００に設けてもよい。
【００４４】
続いてステップＳ１０６において、レンズ制御ＣＰＵ１１４は、電源接点１１７ａ〜１１７ｄを介して供給される撮像装置３００からの電力供給があるまで待機する。これは、電力供給がない状態で各種アクチュエータを駆動しようと駆動回路をＯＮした状態で電力が供給されると、アクチュエータに過電流が流れて電源回路やアクチュエータが破損する可能性があるためである。
【００４５】
次に、図３（ｂ）を参照して、アクセサリ制御ＣＰＵ２０１の動作（アクセサリ処理）について説明する。ステップＳ２０１において、アクセサリ制御ＣＰＵ２０１は、カメラ制御ＣＰＵ３０６にアクセサリ固有情報を送信する。送信される情報は、前述のステップＳ１０１にて説明したとおりである。本実施例において、カメラ制御ＣＰＵ３０６とアクセサリ制御ＣＰＵ２０１との間の通信は、電気的接点１１６ｄ、１１６ｅ、２０５ｄ、２０５ｅ、２０６ｄ、２０６ｅ、３０９ｄ、３０９ｅを介して、２線式のシリアル通信で行われる。
【００４６】
続いてステップＳ２０２において、アクセサリ制御ＣＰＵ２０１は、後述するステップＳ３１０にてカメラ制御ＣＰＵ３０６から送信されたアクセサリ機能制限命令があるか否かを判定する。アクセサリ機能制限命令がない場合、アクセサリ制御ＣＰＵ２０１は、撮像装置３００からの電力供給があるまで待機する。一方、アクセサリ機能制限命令がある場合、ステップＳ２０３に進み、アクセサリ制御ＣＰＵ２０１は、後述のアクセサリ機能制限を実行する。
【００４７】
次に、図３（ｃ）を参照して、カメラ制御ＣＰＵ３０６の動作（カメラ処理）について説明する。ステップＳ３０１において、カメラ制御ＣＰＵ３０６は、撮像装置３００に交換レンズ１００およびアクセサリ２００が装着されたことを検出する。この検出は、電気的接点を用いる方法や、別の検出用の接点やセンサを搭載することで実現可能である。
【００４８】
続いてステップＳ３０２において、カメラ制御ＣＰＵ３０６は、アクセサリ制御ＣＰＵ２０１からアクセサリ固有情報を受信する。受信される情報は、前述のステップＳ１０１にて説明したとおりである。続いてステップＳ３０３において、カメラ制御ＣＰＵ３０６は、レンズ制御ＣＰＵ１１４にアクセサリ固有情報を送信する。送信される情報は、前述のステップＳ１０１にて説明したとおりである。
【００４９】
続いてステップＳ３０４において、カメラ制御ＣＰＵ３０６の許容電力決定手段３１２は、交換レンズ１００の初期電力モードを決定する。続いてステップＳ３０５において、カメラ制御ＣＰＵ３０６は、レンズ制御ＣＰＵ１１４との間で電力モード通信を実行する。すなわちカメラ制御ＣＰＵ３０６は、ステップＳ３０４で決定した電力モード（初期電力モード）を通信によりレンズ制御ＣＰＵ１１４に通知する。その際、カメラ制御ＣＰＵ３０６は、レンズ制御ＣＰＵ１１４から、対応している複数または１つのレンズ電力モードを受信する。
【００５０】
続いてステップＳ３０６において、カメラ制御ＣＰＵ３０６は、許容電力決定手段３１２で決定されたカメラ電力モードとステップＳ３０４でレンズ制御ＣＰＵ１１４から受信したレンズ電力モードとが一致しているか否かを判定する。カメラ電力モードとレンズ電力モードとが一致していない場合、このまま撮像装置３００から交換レンズ１００に電力を供給することができないため、ステップＳ３０９に進む。ステップＳ３０９において、カメラ制御ＣＰＵ３０６は、交換レンズ１００が対応しているカメラ電力モードを再度選択する。そしてステップＳ３０５において、カメラ制御ＣＰＵ３０６は、カメラ電力モードを交換レンズ１００に対して再通知する。
【００５１】
一方、ステップＳ３０６にてカメラ電力モードとレンズ電力モードとが一致している場合、ステップＳ３０７に進む。ステップＳ３０７において、カメラ制御ＣＰＵ３０６は、ステップＳ１０７でレンズ制御ＣＰＵ１１４から送信されたアクセサリ制限命令があるか否かを判定する。アクセサリ制限命令がない場合、ステップ３０８に進む。一方、アクセサリ制限命令がある場合、ステップＳ３１０において、カメラ制御ＣＰＵ３０６は、アクセサリ機能制限命令をアクセサリ制御ＣＰＵ２０１に送信する。本実施例において、アクセサリ２００は複数の電力モードが存在しない（アクセサリ２００は１つの電力モードのみを有する）。このため、アクセサリ機能を制限する場合、例えば、カメラ制御ＣＰＵ３０６はアクセサリ制御ＣＰＵ２０１へ動作禁止命令を送信し、アクセサリ２００で電力を消費しないようにアクセサリ２００を制御する。このときアクセサリ２００が動作しなくなるため、カメラ制御ＣＰＵ３０６は、撮像装置３００の表示装置３０５にメッセージを表示してもよい。
【００５２】
続いてステップＳ３０８において、カメラ制御ＣＰＵ３０６は、交換レンズ１００が対応している電力モードと撮像装置３００が指示する電力モードとが互いに一致しているため、電力供給を開始する。すなわちカメラ制御ＣＰＵ３０６は、電源端子を介して撮像装置３００から交換レンズ１００およびアクセサリ２００のそれぞれに対して電力の供給を開始し、本処理を終了する。
【００５３】
本実施例によれば、交換レンズ１００が対応している電力モードと撮像装置３００が指示する電力モードとを互いに一致させることができる。また撮像装置３００は、電力モードの指定と対応している消費電力の情報通信により、供給可能電力内で適切に交換レンズ１００およびアクセサリ２００を動作させることができる。
【実施例２】
【００５４】
次に、図４を参照して、本発明の実施例２について説明する。図４（ａ）は、交換レンズ１００の動作（レンズ処理）を示すフローチャートである。図４（ｂ）は、アクセサリ２００の動作（アクセサリ処理）を示すフローチャートである。図４（ｃ）は、撮像装置３００の動作（カメラ処理）を示すフローチャートである。図４（ａ）〜（ｃ）の各ステップは、主に、レンズ制御ＣＰＵ１１４、アクセサリ制御ＣＰＵ２０１、および、カメラ制御ＣＰＵ３０６によりそれぞれ実行される。本実施例では、アクセサリ２００に複数の電力モードが存在する場合について説明する。
【００５５】
図４（ａ）は、ステップＳ１０１とステップＳ１０２との間にステップＳ１０８が挿入されている点で、図３（ａ）と異なる。図４（ｂ）は、ステップＳ２０１とステップＳ２０２との間にステップＳ２０４が挿入されている点で、図３（ｂ）と異なる。図４（ｃ）は、図３（ｃ）と同じ処理である。図４（ａ）〜（ｃ）の他のステップは、実施例１にて説明した図３（ａ）〜（ｃ）とそれぞれ共通であるため、それらの説明を省略する。
【００５６】
まず、図４（ａ）を参照して、レンズ制御ＣＰＵ１１４の動作（レンズ処理）について説明する。ステップＳ１０１にてアクセサリ固有情報を受信した後、ステップＳ１０８において、レンズ制御ＣＰＵ１１４は、アクセサリ電力モード通信手段２０９を用いて、アクセサリ制御ＣＰＵ２０１からアクセサリ電力モードを受信する。アクセサリの電力モードは、アクセサリ電力モード記憶手段２１０に記憶されている。レンズ制御ＣＰＵ１１４とアクセサリ制御ＣＰＵ２０１との間の通信は、電気的接点１１６ｄ、１１６ｅ、２０５ｄ、２０５ｅ、２０６ｄ、２０６ｅ、３０９ｄ、３０９ｅを介して、２線式のシリアル通信で行われる。
【００５７】
ステップＳ１０３において、レンズ制御ＣＰＵ１１４は、ステップＳ１０２で受信した撮像装置３００から指示された電力モードが、交換レンズ１００に対応している電力モードであるか否かを判定する。すなわちレンズ制御ＣＰＵ１１４は、ステップＳ１０８で受信したアクセサリ２００の電力と、レンズ電力モード記憶手段１１９に記憶された交換レンズ１００の電力との合計値（合計電力）以上の電力モードに対応している電力モードであるか否かを判定する。撮像装置３００から指示された電力モードが交換レンズ１００に対応していない電力モード（非対応電力モード）である場合、レンズ制御ＣＰＵ１１４は、再度レンズ電力モードの通信を行うため、ステップＳ１０３を繰り返す。一方、撮像装置３００から指示された電力モードが交換レンズ１００に対応する電力モードである場合、ステップＳ１０４に進む。
【００５８】
ステップＳ１０４において、レンズ制御ＣＰＵ１１４の電力モード決定手段１２０は、交換レンズ１００で消費可能（設定可能）な電力モードとアクセサリ２００の消費電力との合計値（合算値）が、撮像装置３００の許容電力内であるか否かを判定する。この判定は、ステップＳ１０８で受信したアクセサリ２００の電力モードと、ステップＳ１０２で受信した撮像装置３００から指示（許容）される電力モードの情報に基づいて行われる。合計値が許容電力内である場合、ステップＳ１０５に進む。一方、合計値が許容電力を超えている場合、ステップＳ１０７に進む。
【００５９】
ステップＳ１０５において、電力モード決定手段１２０は、交換レンズ１００およびアクセサリ２００のそれぞれの電力モードを決定する。そしてレンズ電力モード通信手段１１８は、交換レンズ１００とアクセサリ２００の合計値（合算電力）が対応する複数または１つの電力モード（合算電力モード）を撮像装置３００に送信する。送信する電力モードの情報は、レンズ電力モード記憶手段１１９に記憶されている。
【００６０】
例えば、図２において２．０Ｗを許容電力とする電力モード３が撮像装置３００から指示された場合を説明する。アクセサリ２００の消費電力が０．５Ｗ〜１．０Ｗの電力モード１〜２で、交換レンズ１００が選択可能な電力モードが許容電力０．５Ｗ〜２．０Ｗの電力モード１〜３であるとする。このとき、撮像装置３００から指示された許容電力を満たす、交換レンズ１００とアクセサリ２００との最大合計値（最大合計電力）は、アクセサリ電力モード２（１．０Ｗ）とレンズ電力モード２（１．０Ｗ）との組み合わせとなる。したがって、レンズ電力モード通信手段１１８で選択される電力モードは、電力モード１（０．５Ｗ）と電力モード２（１．０Ｗ）との組み合わせである。このときレンズ制御ＣＰＵ１１４は、電力モード１（０．５Ｗ）または電力モード２（１．０Ｗ）で交換レンズ１００を制御する。
【００６１】
このとき、例えばアクセサリ２００の電力モードとして１．５Ｗのモード設定があるとする。交換レンズ１００の電力モードが１．０Ｗの電力モード２のみである場合、アクセサリ２００を動作させると、交換レンズ１００とアクセサリ２００との合計電力は２．５Ｗとなる。このままでは、撮像装置３００が許容する許容電力２．０Ｗを超えてしまうため、レンズ制御ＣＰＵ１１４は、ステップＳ１０７でアクセサリ機能制限通知をカメラ制御ＣＰＵ３０６に送信する。
【００６２】
次に、図４（ｂ）を参照して、アクセサリ制御ＣＰＵ２０１の動作（アクセサリ処理）について説明する。ステップＳ２０４において、アクセサリ制御ＣＰＵ２０１のアクセサリ電力モード通信手段２０９は、レンズ制御ＣＰＵ１１４へアクセサリ２００の電力モード（アクセサリ電力モード）を送信する。アクセサリ電力モードは、アクセサリ電力モード記憶手段２１０に記憶されている。
【００６３】
次に、図４（ｃ）を参照して、カメラ制御ＣＰＵ３０６の動作（カメラ処理）について説明する。本実施例において、ステップＳ３１０以外のステップは図３（ｃ）を参照して説明した実施例１と同様である。
【００６４】
ステップＳ３１０において、カメラ制御ＣＰＵ３０６は、アクセサリ機能制限命令をアクセサリ制御ＣＰＵ２０１に送信する。本実施例において、アクセサリ２００は複数の電力モードを有する。アクセサリの機能を制限する場合、例えば、撮像装置３００が許容する許容電力２．０Ｗで、アクセサリ２００の電力モードとして１．５Ｗのモード設定があるとする。交換レンズ１００の電力モードが１．０Ｗの電力モード２のみである場合、交換レンズ１００とアクセサリ２００との合計電力が２．５Ｗとなると、許容電力を超えてしまう。そこでカメラ制御ＣＰＵ３０６は、アクセサリ制御ＣＰＵ２０１に、電力モードが０．５Ｗの電力モード１のみで動作するような命令を送る。これにより、交換レンズ１００とアクセサリ２００の合計電力が１．５Ｗとなり、撮像装置３００が許容する許容電力２．０Ｗの許容電力内となる。このとき、アクセサリ２００の一部機能の能力が低下する（例えば、有機ＥＬ情報表示の輝度を落とす）ため、カメラ制御ＣＰＵ３０６は、撮像装置３００の表示装置３０５にメッセージを表示してもよい。
【００６５】
本実施例によれば、アクセサリ２００に複数の電力モードを設けることで、撮像装置３００の供給可能電力内で適切に交換レンズ１００およびアクセサリ２００を動作させることができる。
【実施例３】
【００６６】
次に、図５を参照して、本発明の実施例３について説明する。図５（ａ）は、交換レンズ１００の動作（レンズ処理）を示すフローチャートである。図５（ｂ）は、アクセサリ２００の動作（アクセサリ処理）を示すフローチャートである。図５（ｃ）は、撮像装置３００の動作（カメラ処理）を示すフローチャートである。図５（ａ）〜（ｃ）の各ステップは、主に、レンズ制御ＣＰＵ１１４、アクセサリ制御ＣＰＵ２０１、および、カメラ制御ＣＰＵ３０６によりそれぞれ実行される。本実施例では、アクセサリ２００に複数の電力モードが存在し、交換レンズ１００およびアクセサリ２００を動作させるため、撮像装置３００が交換レンズ１００に供給可能な電力モードを通知する場合を説明する。
【００６７】
図５（ａ）は、ステップＳ１０４がない点で、図３（ａ）と異なる。図５（ｂ）は、ステップＳ２０１とステップＳ２０２との間にステップＳ２０５が挿入されている点で、図３（ｂ）と異なる。図５（ｃ）は、ステップＳ３０３とステップＳ３０４との間にステップＳ３１１が挿入されている点で、図３（ｃ）と異なる。図５（ａ）〜（ｃ）の他のステップは、実施例１にて説明した図３（ａ）〜（ｃ）とそれぞれ共通であるため、それらの説明を省略する。
【００６８】
まず、図５（ａ）を参照して、レンズ制御ＣＰＵ１１４の動作（レンズ処理）について説明する。ステップＳ１０１にてアクセサリ固有情報を受信し、ステップＳ１０２にて電力モード通信を実行した後、ステップＳ１０３に進む。ステップＳ１０３において、レンズ制御ＣＰＵ１１４は、ステップＳ１０２で受信した撮像装置３００から指示された電力モードが、レンズ電力モード記憶手段１１９に記憶された交換レンズ１００に対応する電力モードであるか否かを判定する。この判定は、レンズ制御ＣＰＵ１１４の電力モード決定手段１２０により、ステップＳ１０２で受信した撮像装置３００から指示（許容）される電力モードの情報に基づいて行われる。撮像装置３００から指示された電力モードが交換レンズ１００に対応していない電力モード（非対応電力モード）である場合、レンズ制御ＣＰＵ１１４は、再度レンズ電力モードの通信を行うため、ステップＳ１０２に戻る。一方、撮像装置３００から指示された電力モードが交換レンズ１００に対応する電力モードである場合、ステップＳ１０５に進む。
【００６９】
ステップＳ１０５において、電力モード決定手段１２０は、交換レンズ１００の電力モードを決定する。そしてレンズ電力モード通信手段１１８は、交換レンズ１００が対応する複数または１つの電力モードを撮像装置３００に送信する。送信する電力モードの情報は、レンズ電力モード記憶手段１１９に記憶されている。ここで送信される電力モードは、ステップＳ１０２で受信した撮像装置３００から指示された電力モード内で、交換レンズ１００が対応する電力モードである。
【００７０】
例えば、図２において２．０Ｗを許容電力とする電力モード３が撮像装置３００から指示された場合を説明する。このとき交換レンズ１００は、許容電力０．５Ｗ〜２．０Ｗの電力モード１〜３の電力内で動作する。このため、レンズ電力モード通信手段１１８で選択される電力モードは、電力モード１〜３である。
【００７１】
次に、図５（ｂ）を参照して、アクセサリ制御ＣＰＵ２０１の動作（アクセサリ処理）について説明する。ステップＳ２０５において、アクセサリ制御ＣＰＵ２０１のアクセサリ電力モード通信手段２０９は、カメラ制御ＣＰＵ３０６へアクセサリ２００の電力モード（アクセサリ電力モード）を送信する。アクセサリ電力モードは、アクセサリ電力モード記憶手段２１０に記憶されている。
【００７２】
次に、図５（ｃ）を参照して、カメラ制御ＣＰＵ３０６の動作（カメラ処理）について説明する。ステップＳ３１１において、カメラ制御ＣＰＵ３０６は、ステップＳ２０５でアクセサリ電力モード通信手段２０９から送信されたアクセサリ電力モードを受信する。
【００７３】
続いてステップＳ３０４において、カメラ制御ＣＰＵ３０６の許容電力決定手段３１２は、交換レンズ１００の初期電力モードを決定する。
許容電力決定手段３１２は、ステップＳ３１１で受信したアクセサリ電力モードの情報に基づいて、撮像装置３００の許容電力とアクセサリ２００の消費電力との差分となる電力モードを交換レンズ１００の初期電力モードとして決定する。
【００７４】
例えば、図２において３．０Ｗを許容電力とする電力モード４が撮像装置３００の許容電力である場合を説明する。アクセサリ２００が許容電力０．５Ｗの電力モード１である場合、許容電力決定手段３１２は、許容電力０．５Ｗ〜２．０Ｗの電力モード１〜３を交換レンズ１００の初期電力モードとして決定する。
【００７５】
本実施例によれば、撮像装置３００が交換レンズ１００に供給可能な電力モードを通知することで、供給可能電力内で適切に交換レンズ１００およびアクセサリ２００を動作させることができる。
【００７６】
各実施例において、レンズ装置（交換レンズ１００）は、アクセサリ２００を介して撮像装置３００に装着可能であり、取得手段１２１、決定手段（電力モード決定手段１２０）、および送信手段（レンズ電力モード通信手段１１８）を有する。取得手段は、アクセサリで使用可能な電力を示す第１電力情報（例えば、アクセサリのＩＤ情報または電力モード情報）を取得する。決定手段は、第１電力情報に基づいて、レンズ装置で使用可能な電力を示す第２電力情報（例えば、レンズ装置の電力モード）を決定する。送信手段は、第２電力情報、または、第１電力情報および第２電力情報に応じた電力情報（例えば、電力モードに関する情報）を撮像装置に送信する。
【００７７】
好ましくは、取得手段は、撮像装置からアクセサリ装置の識別情報を取得し、識別情報に基づいて第１電力情報を取得する（実施例１）。より好ましくは、送信手段は、第２電力情報を撮像装置に送信する。
【００７８】
好ましくは、取得手段は、アクセサリから通信を介して第１電力情報を取得する（実施例２）。より好ましくは、送信手段は、第１電力情報および第２電力情報に応じた電力情報を撮像装置に送信する。より好ましくは、第２電力情報はレンズ装置に設定可能な複数の電力情報のうちの１つである。第１電力情報および第２電力情報に応じた電力情報は、複数の電力情報のうち、第１電力情報が示す電力と第２電力情報が示す電力との和より大きく且つ第１電力情報が示す電力と第２電力情報が示す電力との和に最も近い電力を示す電力情報である。
【００７９】
好ましくは、決定手段は、撮像装置が現在供給可能な電力を示す第３電力情報を撮像装置から取得し、第１電力情報と第３電力情報とに基づいて、第２電力情報を決定する。より好ましくは、決定手段は、第１電力情報が示す電力と第２電力情報が示す電力との和が第３電力情報が示す電力以下になるように、第２電力情報を決定する。また好ましくは、送信手段は、第１電力情報が示す電力と第２電力情報が示す電力との和が第３電力情報が示す電力を超える場合、アクセサリの機能制限を指示する信号を撮像装置に送信する。より好ましくは、撮像装置は、前記信号を撮像装置に送信した場合に、機能制限についてユーザに通知する通知手段（カメラ制御ＣＰＵ３０６、表示装置３０５など）を有する。
【００８０】
撮像装置は、アクセサリを介してレンズ装置が装着可能であり、取得手段（カメラ制御ＣＰＵ３０６）、決定手段（許容電力決定手段３１２）、および、通信手段（カメラ電力モード通信手段３１１）を有する。取得手段は、アクセサリで使用可能な電力を示す第１電力情報を取得する。決定手段は、第１電力情報に基づいて、レンズ装置で使用可能な電力を示す第２電力情報を決定する。通信手段は、第２電力情報をレンズ装置に送信する（実施例３）。好ましくは、決定手段は、第１電力情報と撮像装置が現在供給可能な電力を示す第３電力情報とに基づいて、第２電力情報を決定する。より好ましくは、決定手段は、第１電力情報が示す電力と第２電力情報が示す電力との和が第３電力情報が示す電力以下になるように、第２電力情報を決定する。
【００８１】
好ましくは、第１電力情報が示す電力と第２電力情報が示す電力との和が第３電力情報が示す電力を超える場合、アクセサリの機能を制限する制限手段（カメラ制御ＣＰＵ３０６）を有する。また好ましくは、取得手段は、撮像装置からアクセサリ装置の個体情報を取得し、個体情報に基づいて第１電力情報を取得し、送信手段は、第１電力情報をアクセサリに送信する。
【００８２】
また各実施例において、アクセサリは、撮像装置とレンズ装置との間に装着可能であり、アクセサリで使用可能な電力を示す電力情報を撮像装置またはレンズ装置に送信する通信手段（アクセサリ電力モード通信手段２０９）を有する。好ましくは、アクセサリは、撮像装置の供給可能電力とレンズ装置の電力との差分電力の範囲内の電力モードで動作する。また好ましくは、アクセサリは、複数の電力モードを設定可能であり、通信手段は、撮像装置またはレンズ装置からアクセサリの電力モードを受信し、アクセサリは、複数の電力モードの中から、通信手段により受信したアクセサリの電力モードを選択する。
【００８３】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８４】
各実施例の撮像装置は、レンズ装置およびアクセサリが消費する電力を電力モードとして識別することができ、電力モードの指定と対応する消費電力の情報通信により、供給可能電力の範囲内で適切にレンズ装置およびアクセサリを動作させることができる。このため各実施例によれば、撮像装置の供給可能電力と、レンズ装置およびアクセサリのそれぞれの消費電力とを適切に設定可能なレンズ装置、撮像装置、アクセサリ、レンズ装置の制御方法、撮像装置の制御方法、および、プログラムを提供することができる。
【００８５】
以上、本発明の好ましい実施例について説明したが、本発明はこれらの実施例に限定されず、その要旨の範囲内で種々の変形及び変更が可能である。
【符号の説明】
【００８６】
１００  交換レンズ（レンズ装置）
１１８  レンズ電力モード通信手段（送信手段）
１２０  電力モード決定手段（決定手段）
１２１  取得手段
【図１】
2020187242.tif 000003
【図２】
2020187242.tif 000004
【図３】
2020187242.tif 000005
【図４】
2020187242.tif 000006
【図５】
2020187242.tif 000007